(57)【要約】ユーザによって保持され、またアプリケーション・サーバ（ＳＡ）の上のメモリに記憶されるマルチメディア・オブジェクト（ＯｂＭ）に関連する少なくとも１つのユーザ・タグ（ＥｔＵ）であって、電気通信ネットワーク（ＲＴ）を通して少なくとも１人の他のユーザによってアクセスされる傾向があるユーザ・タグを管理するために、前記アプリケーション・サーバ（ＳＡ）は、機密性保持タグ（ＥｔＣ）の構造化された集合（ＶｏＳ）を決定するためにユーザ・タグ（ＥｔＵ）を意味論的に分析する。別のユーザが、ユーザ・タグ（ＥｔＵ）にアクセスするときに、アプリケーション・サーバは、ユーザに関する他のユーザの社会的カテゴリを決定し、また決定された社会的カテゴリに基づいてユーザ・タグ（ＥｔＵ）に関連した構造化された集合（ＶｏＳ）から機密性保持タグ（ＥｔＣ）を選択する。選択された機密性保持タグ（ＥｔＣ）は、他のユーザに対して送信される。
2013508837.tif 000002
【特許請求の範囲】
【請求項１】
ユーザによって保持され、またアプリケーション・サーバ（ＳＡ）の上のメモリに記憶されるマルチメディア・オブジェクト（ＯｂＭ）に関連する少なくとも１つのユーザ・タグ（ＥｔＵ）であって、電気通信ネットワーク（ＲＴ）を通して少なくとも１人の他のユーザによってアクセスされる傾向がある前記ユーザ・タグ（ＥｔＵ）を管理する方法であって、前記アプリケーション・サーバ（ＳＡ）の上の以下のステップ：すなわち、
機密性保持タグ（ＥｔＣ）の構造化された集合（ＶｏＳ）を決定するために前記ユーザ・タグ（ＥｔＵ）を意味論的に分析するステップ（Ｅ２）と、
別のユーザが前記ユーザ・タグ（ＥｔＵ）にアクセスするときに、前記ユーザに関する前記他のユーザの社会的カテゴリを決定するステップ（Ｅ３）、および決定された社会的カテゴリに基づいて前記ユーザ・タグ（ＥｔＵ）に関連した前記構造化された集合（ＶｏＳ）から機密性保持タグ（ＥｔＣ）を選択するステップ（Ｅ３）と、
前記選択された機密性保持タグ（ＥｔＣ）を前記他のユーザに対して送信するステップ（Ｅ４）と
を備える方法。
【請求項２】
機密性保持タグ（ＥｔＣ）の前記構造化された集合（ＶｏＳ）は、前記機密性保持タグ（ＥｔＣ）の間の関係を階層的にモデル化する構造化されたボキャブラリである、請求項１に記載の方法。
【請求項３】
前記ユーザ・タグ（ＥｔＵ）に含まれる表現は、前記アプリケーション・サーバ（ＳＡ）の上に以前に記憶された前記構造化されたボキャブラリ（ＶｏＳ）に含まれる、請求項１または２に記載の方法。
【請求項４】
前記ユーザ・タグ（ＥｔＵ）に含まれる表現は、前記アプリケーション・サーバ（ＳＡ）の上のメモリに以前に記憶された構造化された集合の中に含まれておらず、またそれらの間に階層的リンクを有する新しい機密性保持タグ（ＥｔＣ）は、生成され、また前記構造化されたボキャブラリ（ＶｏＳ）に追加される、請求項１または２に記載の方法。
【請求項５】
前記選択された機密性保持タグ（ＥｔＣ）は、前記ユーザ・タグ（ＥｔＵ）に対応する、請求項１乃至４のいずれか１項に記載の方法。
【請求項６】
前記ユーザに関する前記他のユーザの前記社会的カテゴリは、前記ユーザが、前記アプリケーション・サーバ（ＳＡ）によって管理されるソーシャル・ネットワーキング・サービスによって定義されるように、前記他のユーザに対して持つ社会的関係に基づいて決定される、請求項１乃至５のいずれか１項に記載の方法。
【請求項７】
ユーザによって保持され、またアプリケーション・サーバ（ＳＡ）の上のメモリに記憶されるマルチメディア・オブジェクト（ＯｂＭ）に関連する少なくとも１つのユーザ・タグ（ＥｔＵ）であって、電気通信ネットワーク（ＲＴ）を通して少なくとも１人の他のユーザによってアクセスされる傾向がある前記ユーザ・タグ（ＥｔＵ）を管理する前記アプリケーション・サーバ（ＳＡ）であって、
機密性保持タグ（ＥｔＣ）の構造化された集合（ＶｏＳ）を決定するために前記ユーザ・タグ（ＥｔＵ）を意味論的に分析するための手段（ＭＥＴ）と、
別のユーザが前記ユーザ・タグ（ＥｔＵ）にアクセスするときに、前記ユーザに関する前記他のユーザの社会的カテゴリを決定する手段（ＭＥＴ）、および決定された社会的カテゴリに基づいて前記ユーザ・タグ（ＥｔＵ）に関連した前記構造化された集合（ＶｏＳ）の中の機密性保持タグ（ＥｔＣ）を選択する前記手段（ＭＥＴ）と、
前記選択された機密性保持タグ（ＥｔＣ）を前記他のユーザに対して送信する手段（ＭＥＴ）と
を備えるアプリケーション・サーバ（ＳＡ）。
【請求項８】
ユーザによって保持され、またアプリケーション・サーバ（ＳＡ）の上のメモリに記憶されるマルチメディア・オブジェクト（ＯｂＭ）に関連する少なくとも１つのユーザ・タグ（ＥｔＵ）であって、電気通信ネットワーク（ＲＴ）を通して少なくとも１人の他のユーザによってアクセスされる傾向がある前記ユーザ・タグ（ＥｔＵ）を管理する前記アプリケーション・サーバ（ＳＡ）の上に実装されることが可能なコンピュータ・プログラムであって、前記プログラムは、前記プログラムが前記アプリケーション・サーバ（ＳＡ）の上でロードされ、実行されるときに、以下のステップ：すなわち、
機密性保持タグ（ＥｔＣ）の構造化された集合（ＶｏＳ）を決定するために前記ユーザ・タグ（ＥｔＵ）を意味論的に分析するステップ（Ｅ２）と、
別のユーザが前記ユーザ・タグ（ＥｔＵ）にアクセスするときに、前記ユーザに関する前記他のユーザの社会的カテゴリを決定するステップ（Ｅ３）、および決定された社会的カテゴリに基づいて前記ユーザ・タグ（ＥｔＵ）に関連した前記構造化された集合（ＶｏＳ）から機密性保持タグ（ＥｔＣ）を選択するステップ（Ｅ３）と、
前記選択された機密性保持タグ（ＥｔＣ）を前記他のユーザに対して送信するステップ（Ｅ４）と
を実行する命令を備える、コンピュータ・プログラム。
【発明の詳細な説明】
【技術分野】
【０００１】
本発明は、電気通信ネットワークにおける、例えば、ソーシャル・ネットワークの上の共用マルチメディア・オブジェクトに関連したタグ情報の管理に関する。
【背景技術】
【０００２】
現在では、ユーザが、テキスト、画像、ビデオなど、様々なタイプのマルチメディア・オブジェクトを共用することができるソーシャル・ネットワーキング環境が存在している。このタイプの環境は、主として、以下の３つの概念：ユーザ、共用マルチメディア・オブジェクト、およびマルチメディア・オブジェクトについて説明するタグの集合に依存する。マルチメディア・オブジェクトを共用する１つの重要な態様は、ユーザによってアクセス可能なすべてのタグの中の情報の機密性保持（ｃｏｎｆｉｄｅｎｔｉａｌｉｔｙ）である。
【０００３】
マルチメディア・オブジェクトを共用することは、一般的に、与えられた社会的関係を有するユーザの間で行われる。ユーザは、それらのユーザの間の社会的関係に応じて別の与えられたユーザにアクセス可能なタグの集合の中のある種の情報を作りたいと望む可能性がある。
【０００４】
ソーシャル・ネットワーキング・ウェブサイトの上で、機密性保持戦略が、アドレスや電話番号など、様々なデジタル・コンテンツに関して実装され、また機密性保持戦略は、１人または複数人のユーザに関してコンテンツの各部分についての機密性保持レベルを定義することを可能にしており、そのコンテンツは、与えられたユーザのために目に見えるものであり、または目に見えるものではない。
【０００５】
タグの集合の中に含まれるどの情報が、他のユーザにとってアクセス可能になるかを制御しながら、ユーザが、タグの集合に関連するマルチメディア・オブジェクトを共用するための手段は、存在していない。
【発明の概要】
【発明が解決しようとする課題】
【０００６】
本発明の一目的は、マルチメディア・オブジェクトに関連するタグからの、それを閲覧している他のユーザに応じてそれぞれ異なっている情報を他のユーザに提供する能力をユーザに提供することにより、上記の不利を改善することである。
【課題を解決するための手段】
【０００７】
この目的を達成するために、ユーザによって保持され、またアプリケーション・サーバの上のメモリに記憶されるマルチメディア・オブジェクトに関連する少なくとも１つのユーザ・タグであって、電気通信ネットワークを通して少なくとも１人の他のユーザによってアクセスされる傾向があるユーザ・タグを管理する、本発明による一方法は、アプリケーション・サーバの上の以下のステップ：すなわち、機密性保持タグの構造化された集合を決定するためにユーザ・タグを意味論的に分析するステップと、別のユーザがユーザ・タグにアクセスするときに、ユーザに関する他のユーザの社会的カテゴリを決定するステップ、および決定された社会的カテゴリに基づいてユーザ・タグに関連した構造化された集合から機密性保持タグを選択するステップと、選択された機密性保持タグを他のユーザに対して送信するステップとを備える。
【０００８】
有利に、本発明は、タグの集合に含まれる情報に対する機密性保持およびアクセスに対する粒度（ｇｒａｎｕｌａｒｉｔｙ）を追加する。ユーザは、異なる機密性保持タイプについての、タグからの情報の様々な部分が、これらのタグにアクセスするユーザによってアクセス可能になることを保証しながら、マルチメディア・オブジェクト共用のためのユーザの習慣を維持し、またこれらのマルチメディア・オブジェクトに関連したタグの集合を識別することができる。
【０００９】
本発明の別の特性によれば、機密性保持タグの構造化された集合は、機密性保持タグの間で関係を階層的にモデル化する構造化されたボキャブラリ（ｖｏｃａｂｕｌａｒｙ）とすることができる。
【００１０】
本発明の他の特性によれば、ユーザ・タグに包含される表現は、アプリケーション・サーバの上のメモリに以前に記憶された構造化された集合に含まれることが可能である。また、ユーザ・タグに包含される表現は、アプリケーション・サーバの上のメモリに以前に記憶された構造化された集合に含まれないことも可能であり、またそれらの間に階層的リンクを有する新しい機密性保持タグは、構造化されたボキャブラリを用いて生成され、またそれに関連づけられることが可能である。
【００１１】
本発明はまた、ユーザによって保持され、またアプリケーション・サーバの上のメモリに記憶されるマルチメディア・オブジェクトに関連する少なくとも１つのユーザ・タグであって、電気通信ネットワークを通して少なくとも１人の他のユーザによってアクセスされる傾向があるユーザ・タグを管理するアプリケーション・サーバにも関し、本アプリケーション・サーバは、機密性保持タグの構造化された集合を決定するためにユーザ・タグを意味論的に分析するための手段と、別のユーザがユーザ・タグにアクセスするときに、ユーザに関する他のユーザの社会的カテゴリを決定し、また決定された社会的カテゴリに基づいてユーザ・タグに関連した構造化された集合から機密性保持タグを選択する手段と、選択された機密性保持タグを他のユーザに対して送信する手段とを備える。
【００１２】
本発明はまた、サーバの内部で実装されることが可能なコンピュータ・プログラムにも関し、前記プログラムは、プログラムが、前記サーバの内部で実行されるときはいつでも、本発明の方法によるステップを実行する命令を備えている。
【００１３】
本発明およびその利点は、添付図面を参照する下記の説明を検討するとすぐによりよく理解されるはずである。
【図面の簡単な説明】
【００１４】
【図１】本発明の一実施形態による、マルチメディア・オブジェクトに関連するタグを管理する通信システムの概略ブロック図である。
【図２】本発明の一実施形態による、マルチメディア・オブジェクトに関連するタグを管理するための一方法についてのアルゴリズムを示す図である。
【発明を実施するための形態】
【００１５】
本発明は、アプリケーション・サーバの上のメモリに記憶され、また電気通信ネットワークの上で共用されるマルチメディア・オブジェクトに関連したタグ情報の管理に関する。
【００１６】
以下の説明においては、アプリケーション・サーバは、特に、様々なユーザの間でマルチメディア・オブジェクトを共用するためのソーシャル・ネットワーキング・サービスを提供する。タグは、マルチメディア・オブジェクトに関連づけられる、またマルチメディア・オブジェクトの説明を提供する用語または表現、例えば、キー・ワード、の集合として定義されることが可能である。
【００１７】
特に、ユーザは、アプリケーション・サーバの中のタグの集合に関連づけられ、また他のユーザによって閲覧され得るマルチメディア・オブジェクトを保持する。ユーザは、マルチメディア・オブジェクトを閲覧するユーザに応じて異なる説明を有する、画像や写真などのマルチメディア・オブジェクトを共用したいと望むことができる。
【００１８】
図１を参照すると、本発明による通信システムは、電気通信ネットワークＲＴを通して互いに通信することが可能な、アプリケーション・サーバＳＡと、少なくとも１つの通信端末ＴＣとを備える。
【００１９】
電気通信ネットワークＲＴは、有線ネットワーク、またはワイヤレス・ネットワーク、あるいは有線ネットワークと、ワイヤレス・ネットワークとの組合せとすることができる。例えば、電気通信ネットワークＲＴは、インターネットやイントラネットなど、高速ＩＰ（「インターネット・プロトコル（Ｉｎｔｅｒｎｅｔ  Ｐｒｏｔｏｃｏｌ）」パケット・ネットワークである。
【００２０】
一例においては、通信端末ＴＣは、電気通信ネットワークＲＴに接続されたｘＤＳＬ（「デジタル加入者回線（Ｄｉｇｉｔａｌ  Ｓｕｂｓｃｒｉｂｅｒ  Ｌｉｎｅ）」）リンクまたはＩＳＤＮ（「デジタル総合サービス網（Ｉｎｔｅｇｒａｔｅｄ  Ｓｅｒｖｉｃｅ  Ｄｉｇｉｔａｌ  Ｎｅｔｗｏｒｋ）」）リンクに対してモデムによって直接にリンクされたパーソナル・コンピュータである。
【００２１】
別の例においては、通信端末ＴＣは、例えば、ＧＳＭ（「移動通信用グローバル・システム（Ｇｌｏｂａｌ  Ｓｙｓｔｅｍ  ｆｏｒ  Ｍｏｂｉｌｅ  ｃｏｍｍｕｎｉｃａｔｉｏｎｓ）」）タイプまたはＵＭＴＳ（「ユニバーサル・モバイル・テレコミュニケーション・システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）」）タイプの無線通信チャネルによって電気通信ネットワークにリンクされるモバイル・セルラー無線通信端末である。
【００２２】
別の例においては、通信端末ＴＣは、電気通信ネットワークに接続された、公衆ワイヤレス・ローカル・エリア・ネットワークＷＬＡＮ、８０２．１ｘ規格を使用したネットワーク、またはＷＩＭＡＸ（「ワールド・ワイド・インターオペラビリティ・マイクロウェーブ・アクセス（Ｗｏｒｌｄ  ｗｉｄｅ  Ｉｎｔｅｒｏｐｅｒａｂｉｌｉｔｙ  Ｍｉｃｒｏｗａｖｅ  Ａｃｃｅｓｓ）」）プロトコルを使用した広域ネットワークの上のアンテナに接続されることが可能な携帯型個人情報端末（ｐｅｒｓｏｎａｌ  ｄｉｇｉｔａｌ  ａｓｓｉｓｔａｎｔ）（ＰＤＡ）またはスマートフォンとすることができる電子通信デバイスまたはオブジェクトを備える。
【００２３】
アプリケーション・サーバＳＡは、関係モジュールとＭＲ、タギング・モジュール（ｔａｇｇｉｎｇ  ｍｏｄｕｌｅ）ＭＥＴと、ユーザ・インターフェースＩＵとを備える。
【００２４】
説明の残りにおいては、用語モジュールは、少なくとも１つの特定のタスクを実行するように構成されたデバイス、ソフトウェア・プログラム、またはコンピュータのハードウェアおよびソフトウェアの組合せを指定することができる。
【００２５】
アプリケーション・サーバＳＡは、アプリケーション・サーバＳＡに統合されたデータベースＢＤにリンクされ、またはローカル・リンクまたはリモート・リンクによってアプリケーション・サーバにリンクされたデータベース管理サーバへと組み込まれている。
【００２６】
特に、データベースＢＤは、ユーザ・タグの集合ＥｔＵを有するメモリに記憶されたマルチメディア・オブジェクトＯｂＭと、ユーザ・タグに関連した機密性保持タグＥｔＣを備える１つまたは複数の構造化されたボキャブラリＶｏＳとを含む。
【００２７】
関係モジュールＭＲは、様々なユーザの間の社会的関係と、特にアプリケーション・サーバＳＡによって提供されるソーシャル・ネットワーキング・サービスによって定義されるような、他のユーザとの、ユーザによって保持されるソーシャル・リンクとを管理する。
【００２８】
ソーシャル・ネットワークにおいては、ユーザは、ユーザの間に存在することができる社会的関係を表すグラフの形でモデル化されることが可能であり、これらの社会的関係は、カテゴリの集合に応じて定義される。カテゴリのこの集合は、例えば、「家族（Ｆａｍｉｌｙ）」、「友人（Ｆｒｉｅｎｄｓ）」、「仲間（Ｃｏｌｌｅａｇｕｅｓ）」、「見知らぬ人（Ｓｔｒａｎｇｅｒｓ）」または「ヌル（Ｎｕｌｌ）」を備えることができる。各ユーザは、上記カテゴリのうちの１つに応じて別のユーザとの社会的関係を有し、または対をなすユーザの間に何の関係も存在しないときには「ヌル」関係を有し、この関係は、ユーザにとって固有であり、ユーザ対の内部で、対称的ではない。機密性保持の観点から、社会的カテゴリは、与えられたユーザに関するユーザの間の階層を定義しており、その階層に応じて、情報アクセスは、ユーザの社会的カテゴリに依存する。
【００２９】
１つのそのような階層は、ユーザが、仲間とではなく、ユーザの家族または友人とユーザの私生活についての情報を共用することを好む可能性があるので、以下の順序：「家族」、「友人」、「仲間」、「見知らぬ人」、または「ヌル」に応じて確立されることが可能である。反対に、ユーザは、友人とではなく、仲間とユーザの専門的職業生活についての情報を共用することを好む可能性がある。
【００３０】
タギング・モジュールＭＥＴは、情報の詳細のレベルを、より詳細には、この情報の粒度の精度を制御し、この粒度は、マルチメディア・オブジェクトＯｂＭに関連し、またユーザに対してアクセス可能なユーザ・タグＥｔＵに関係づけられる。ユーザは、アプリケーション・サーバＳＡの上のメモリに記憶され、またマルチメディア・オブジェクトに関するユーザ・タグＥｔＵの集合に関連する１つまたは複数のマルチメディア・オブジェクトＯｂＭを保持する。
【００３１】
一実施形態においては、機密性保持タグＥｔＣは、オントロジー（ｏｎｔｏｌｏｇｙ）の形態で示されることが可能であり、このオントロジーは、タグと、ユーザと、マルチメディア・オブジェクトとの間の関係をモデル化するボキャブラリである。オントロジーは、ドメインを説明し、また分類学的関係および意味論的関係によって互いにリンクされる概念の集合を一緒にする意味論的ネットワークとして定義されることが可能である。
【００３２】
例えば、タグの集合｛アリス（Ａｌｉｃｅ），私のガールフレンド（ｍｙ  ｇｉｒｌ  ｆｒｉｅｎｄｓ），アリスの誕生パーティ（Ａｌｉｃｅ’ｓ  ｂｉｒｔｈｄａｙ  ｐａｒｔｙ）｝は、タグの集合｛アリス（Ａｌｉｃｅ），友人（ｆｒｉｅｎｄ），パーティ（ｐａｒｔｙ）｝よりも正確である。
【００３３】
各ユーザ・タグＥｔＵは、特定のドメインと、特定の意味とに関係づけられる。それゆえに、ユーザ・タグＥｔＵは、ユーザ・タグＥｔＵの中の詳細のレベルを指定する、機密性保持タグＥｔＣの階層の中でユーザ・タグＥｔＵを位置づける構造化されたボキャブラリＶｏＳに関係づけられる。構造化されたボキャブラリは、意味論的詳細のレベルに応じて機密性保持タグＥｔＣに対する順序を定義する。
【００３４】
一実施形態においては、タギング・モジュールＭＥＴは、構造化されたボキャブラリＶｏＳに関連した緩和パラメータ（ｒｅｌａｘａｔｉｏｎ  ｐａｒａｍｅｔｅｒ）に応じて、より多くの、またはより少ない詳細を有する別の形態をそれに与える機密性保持タグＥｔＣの形態を変更する関数ωを実装する。
【００３５】
機密性保持タグＥｔＣの粒度についての程度は、緩和パラメータによって制御されて、例えば、「家族」や「友人」などの社会的関係のカテゴリに関係づけられることが可能である判断基準の与えられた集合に基づいてユーザによって指定されることが可能である。一例においては、ユーザは、アプリケーション・サーバＳＡの上のメモリに、写真などのマルチメディア・オブジェクトを記憶し、また前記写真は、機密性保持タグＥｔＣ「誕生パーティ」に関連づけられる。このタグは、構造化されたボキャブラリ「私的な社会的イベント」、「社会的イベント」、および「イベント」の中の以下の対応する機密性保持タグＥｔＣのうちで、粒度についての最高の程度を有するものと考えられる。ユーザはまた、粒度についての程度についての判断基準として４つの社会的カテゴリ：「家族」、「友人」、「友人の友人」、および「見知らぬ人」を定義することもできる。関数ωは、ユーザ・タグＥｔＵを閲覧するユーザの社会的カテゴリに応じて機密性保持タグＥｔＣについての粒度についての程度：
ω（「誕生パーティ」，「家族」）＝「誕生パーティ」
ω（「誕生パーティ」，「友人」）＝「私的社会的イベント」
ω（「誕生パーティ」，「友人の友人」）＝「社会的イベント」
ω（「誕生パーティ」，「見知らぬ人」）＝「イベント」
を決定する。
【００３６】
構造化されたボキャブラリＶｏＳは、階層の中の各レベルが、粒度についてのレベル、すなわち情報における詳細のレベルに対応する、ユーザ・タグＥｔＵの中に含まれる情報の与えられた部分の階層的ビューを提供する。以下の順序｛「イベント」，「社会的イベント」，「私的社会的イベント」，「誕生パーティ」｝における構造化されたボキャブラリのブランチの部分を説明している上記の例においては、ツリー構造の中のボキャブラリは、｛「私的社会的イベント」，「誕生パーティ」，「結婚記念日」｝、｛「私的社会的イベント」，「誕生パーティ」，「誕生パーティ」｝、または｛「社会的イベント」，「私的社会的イベント」｝および｛「社会的イベント」，「公共社会的イベント」｝など、他のブランチを含むことができることが、理解されるであろう。
【００３７】
さらに、ユーザは、他のユーザによってできる限り詳細な方法でアクセス可能な可能性のある情報を用いてユーザ・タグＥｔＵに記入することが可能である可能性がある。さらに、構造化されたボキャブラリの中のユーザ・タグに関連した粒度についての異なるレベルの数よりも多い、または少ない社会的カテゴリが存在する可能性もある。様々な社会的カテゴリは、粒度についての同じレベルに、すなわちユーザ・タグＥｔＣに関する構造化されたボキャブラリＶｏＳの中の同じ機密性保持タグＥｔＣに関連づけられることも可能である。
【００３８】
ユーザ・インターフェースＩＵは、特に、ユーザが、他のユーザと新しい社会的カテゴリを定義すること、およびユーザ・タグＥｔＵを閲覧する傾向がある別のユーザの社会的カテゴリに基づいてユーザ・タグＥｔＵに対して粒度についてのレベルを割り当てるためのルールを定義することを可能にするグラフィカル・ユーザ・インターフェース（ｇｒａｐｈｉｃａｌ  ｕｓｅｒ  ｉｎｔｅｒｆａｃｅ）ＧＵＩである。
【００３９】
図２を参照すると、本発明の一実施形態によるマルチメディア・オブジェクトに関連するタグを管理するための一方法は、通信システムの内部で実行されるステップＥ１からＥ４を備える。
【００４０】
ステップＥ１において、ユーザは、通信端末ＴＣを通してアプリケーション・サーバＳＡに接続する。タギング・モジュールＭＥＴは、ユーザに、マルチメディア・オブジェクトＯｂＭをアップロードするように、またそれを説明するマルチメディア・オブジェクトに関連する、単一のタグにまで低減されることが可能な、ユーザ・タグＥｔＵの集合を記入するように依頼する。
【００４１】
マルチメディア・オブジェクトＯｂＭと、ユーザ・タグＥｔＵの集合は、データベースＢＤの中に一緒にメモリに記憶される。例えば、マルチメディア・オブジェクトＯｂＭと、ユーザ・タグＥｔＵとはまた、マルチメディア・オブジェクトＯｂＭを保持するユーザの識別子と一緒にメモリに記憶される。
【００４２】
ステップＥ２において、タギング・モジュールＭＥＴは、各ユーザ・タグＥｔＵを意味論的に分析して、すなわち、それは、ユーザ・タグＥｔＵの中に含まれる表現またはキー・ワードのコンテンツを意味論的に分析して、ユーザ・タグに関連した構造化されたボキャブラリＶｏＳを決定し、またユーザ・タグＥｔＵと、推定されたタグを含み、また構造化されたボキャブラリＶｏＳに含まれるタグの階層とに対応する機密性保持タグＥｔＣをそれから推定する。
【００４３】
第１の場合には、ユーザ・タグＥｔＵが、構造化されたボキャブラリＶｏＳに含まれる表現を備える場合、モジュールＭＥＴは、データベースＢＤの中のメモリに既に記憶された構造化されたボキャブラリと、構造化されたボキャブラリの中のこの表現を備える機密性保持タグＥｔＣとを識別する。
【００４４】
代わりに、ユーザ・タグＥｔＵは、構造化されたボキャブラリＶｏＳの中に含まれる別の表現の意味に意味論的に近い表現を備え、またモジュールＭＥＴは、構造化されたボキャブラリの中の前記他の表現を備える機密性保持タグＥｔＣを識別する。例えば、ユーザ・タグＥｔＵは、表現「パーティ」を含み、この表現は、構造化されたボキャブラリＶｏＳの中に含まれる別の表現「祝賀（Ｃｅｌｅｂｒａｔｉｏｎ）」に近い。
【００４５】
第２の場合には、ユーザ・タグＥｔＵが、構造化されたボキャブラリＶｏＳの中に含まれない表現、または構造化されたボキャブラリＶｏＳの中に含まれる別の表現の意味に意味論的に近くない表現を備える場合、モジュールＭＥＴは、それらの間に階層的リンクを有する新しい機密性保持タグＥｔＣを生成し、また構造化されたボキャブラリＶｏＳにそれらを追加する。この場合には、タギング・モジュールＭＥＴは、確認のために、新しい機密性保持タグＥｔＣをユーザに対してオプションとして示唆することができる。
【００４６】
一例として、カテゴリ「イベント」のタグについての構造化されたボキャブラリＶｏＳは、｛「イベント」，「社会的イベント」，「私的社会的イベント」，「パーティ」｝を備える。第１の場合には、ユーザは、表現「パーティ」を用いてユーザ・タグＥｔＵに記入し、またモジュールＭＥＴは、構造化されたボキャブラリＶｏＳの中のこの表現を備える機密性保持タグＥｔＣを識別する。第２の場合には、ユーザは、表現「私の息子の誕生パーティ（Ｍｙ  ｓｏｎ’ｓ  ｂｉｒｔｈｄａｙ  ｐａｒｔｙ）」を用いてユーザ・タグＥｔＵに記入し、またモジュールＭＥＴは、階層的リンクを有する新しい機密性保持タグＥｔＣ「誕生パーティ」および「私の息子の誕生パーティ」を生成し、また以下：｛「イベント」，「社会的イベント」，「私的社会的イベント」，「パーティ」，「誕生パーティ」，「私の息子の誕生パーティ」｝のように構造化されたボキャブラリＶｏＳにそれらを追加する。
【００４７】
ステップＥ３において、アプリケーション・サーバによって提供されるソーシャル・ネットワーキング・サービスを通してユーザに対する社会的関係を有する別のユーザは、電気通信ネットワークＲＴの上で共用されるマルチメディア・オブジェクトＯｂＭに関連するユーザ・タグＥｔＵを閲覧したいと望む。
【００４８】
タギング・モジュールＭＥＴは、関係モジュールＭＲと一緒にユーザに関する他のユーザの社会的カテゴリを決定し、また決定された社会的カテゴリに基づいて、ユーザ・タグＥｔＵに関連した構造化されたボキャブラリＶｏＳの中の機密性保持タグＥｔＣを選択する。例えば、他のユーザは、社会的カテゴリが関連づけられる識別子を通して識別される。
【００４９】
ステップＥ３は、例えば、他のユーザが、マルチメディア・オブジェクトと、関連したユーザ・タグとが表示されるウェブ・ページ上へとサインされるときに実行されることが可能である。他の例においては、ステップＥ３は、ユーザが、マルチメディア・オブジェクトを選択し、またはマルチメディア・オブジェクトが表示されるゾーンへとカーソルを移動するときに、実行されることが可能である。一般に、ステップＥ３が、前記他のユーザがユーザ・タグＥｔＵにアクセスするときに実行されることになることが、考えられるであろう。
【００５０】
ステップＥ４において、タギング・モジュールＭＥＴは、選択された機密性保持タグＥｔＣを表示し、また機密性保持タグＥｔＣを他のユーザの通信端末へと送信することにより、この機密性保持タグＥｔＣを他のユーザに対して提供する。それゆえに、他のユーザは、例えば、最初に記憶されたユーザ・タグＥｔＵよりも詳細さの少ない情報を有する機密性保持タグを読み取ることができる。追加して、選択された機密性保持タグＥｔＣは、例えば、最初に記憶されたユーザ・タグに対応することができる。
【００５１】
ここで説明される本発明は、特に、マルチメディア・オブジェクトに関連するタグを管理するための方法およびサーバに関する。本発明の一実施形態によれば、本発明の方法のステップは、アプリケーション・サーバＳＡなどのサーバに組み込まれているコンピュータ・プログラムの命令によって決定される。本プログラムは、前記プログラムが、サーバの内部でロードされ、実行されるときに、本発明の方法のステップを実行するプログラム命令を備える。
【００５２】
その結果として、本発明は、本発明を実装するのに適した、コンピュータ・プログラムにも、特に情報媒体の上の、または内部のコンピュータ・プログラムにも適用される。このプログラムは、任意のプログラミング言語を使用することができ、またソース・コード、オブジェクト・コード、または部分的にコンパイルされた形態や本発明の方法を実装するために望ましい他の任意の形態などにおけるソース・コードと、オブジェクト・コードとの間の中間コードの形態とすることができる。
【図１】
2013508837.tif 000003
【図２】
2013508837.tif 000004
【国際調査報告】
2013508837.tif 000005
2013508837.tif 000006
2013508837.tif 000007
2013508837.tif 000008
2013508837.tif 000009
2013508837.tif 000010